(57)【要約】【課題】バンドを充分な連結力でもって連結し、使用状態において腹部に力を入れた際にもバンドの緩みが発生することがないバックルを提供すること。【解決手段】バックル主体１及び補助体２とを備え、バックル主体１の一端部と補助体２の一端部とが揺動自在に装着され、バンド６の一端部が補助体２の一端に固され、バンド６の他端部がバックル主体１と補助体２との間に挿入されて両者により挟持されるバックル。バックル主体１の他端部には係合爪４が設けられ、補助体２はバックル主体１側に山形状に形成されるとともに、係合爪４に係合する突起５が設けられている。【選択図】      図５
2004154383.tif 000002
【特許請求の範囲】
【請求項１】
相互に協働してバンドを連結するためのバックル主体及び補助体とを備え、前記バックル主体の一端部と前記補助体の一端部とが揺動自在に装着され、前記バンドの一端部が前記補助体の一端に固され、前記バンドの他端部が前記バックル主体と前記補助体との間に挿入されて両者により挟持されるバックルにおいて、
前記バックル主体の他端部には係合爪が設けられ、前記補助体は前記バックル主体側に山形状に形成されるとともに、前記係合爪に係合する突起が設けられていることを特徴とするバックル。
【請求項２】
前記バックル主体の一端部及び前記補助体の一端部には、前記バンドを挟持するための挟着部が設けられ、前記バックル主体の他端部には、前記補助体側に突出する突部が設けられ、前記突部は前記バンドを前記補助体の山形状に沿って屈曲させることをことを特徴とする請求項１記載のバックル。
【請求項３】
前記補助体は、金属板を格子状に加工することにより形成され、前記バックル主体側に山形状に形成され、ばね性を有することを特徴とする請求項１又は２記載のバックル。
【請求項４】
前記バックル主体には、飾り板が着脱自在に装着されることをことを特徴とする請求項１〜３のいずれかに記載のバックル。
【請求項５】
前記バックル主体はロ字状に形成され、その４辺部の各々に前記飾り板を装着するための装着片が設けられ、三つの前記装着片は前記バックル主体に固定され、一つの前記装着片は前記バックル主体に着脱自在に装着されることを特徴とする請求項４記載のバックル。
【発明の詳細な説明】
【０００１】
【発明の属する技術分野】
本発明は、ズボン、スカート等に使用するベルトを連結するのに用いるバックルに関する。
【０００２】
【従来の技術】
ベルトを連結するためのバックルバックルは、大きく分類すると２種類の形態のものがある。一つの形態は、バックル主体に揺動自在に棒状係止部材を設け、バンドの先端部に設けたれた複数の係止穴のいずれか一つにこの棒状係止部材を挿入係止しバンドの連結を行うものである。他の形態は、バックル主体と補助体とから構成し、バンドをバックル主体と補助体との間に挿通して両体間でバンドを挟持して連結するものである。
【０００３】
【発明が解決しようとする課題】
しかしながら、上述したバックルには、次の通りの解決すべき問題がある。従来の一の形態のバックルでは、バンドに多くの係止穴を設けなければならず（通常、４〜５個設けられている）、また長年バンドを使用していると、それらの係止穴が大きくなったり、係止穴の周縁部がめくれて見苦しくなったりし、特に棒状係止部材を挿入係止する頻度の高い係止穴については、そのような問題が発生し易かった。
【０００４】
また、従来の他の形態では、上述した係止穴がないのでバンドが劣化し難いという点では優れているが、バンドがバックル主体と補助体との間の挟持だけで連結されるので、両者間の挟持力が緩んでバンドの連結が不充分となるおそれがあった。特に、バンドの装着状態において腹部に力を入れた瞬間はバンドの緩みが生じ易かった。
【０００５】
本発明は、上記従来技術に鑑み、バックル主体と補助体でバンドを挟持する形態のバックルを改良してもので、上述したような欠点を解決し、バンドを充分な連結力でもって連結し、使用状態において腹部に力を入れた際にもバンドの緩みが発生することがないバックルを提供するものである。
【０００６】
【課題を解決するための手段】
本発明のバックルでは、相互に協働してバンドを連結するためのバックル主体及び補助体とを備え、前記バックル主体の一端部と前記補助体の一端部とが揺動自在に装着され、前記バンドの一端部が前記補助体の一端に固され、前記バンドの他端部が前記バックル主体と前記補助体との間に挿入されて両者により挟持されるバックルにおいて、
前記バックル主体の他端部には係合爪が設けられ、前記補助体は前記バックル主体側に山形状に形成されるとともに、前記係合爪に係合する突起が設けられていることを特徴とする。
【０００７】
本発明に従えば、補助体が山形状に形成されているので、バックル主体と補助体との間に挿入されたバンドは、山形状の補助体に沿った形状に保持され、湾曲されたバンドによって、補助体の山形状部分が下方に押され、補助体は延びる方向に作用する。バックル主体には係合爪が設けられ、補助体には突起が設けられ、ベルトの装着状態においてはこれらが係合状態に保持されている。このような状態において、補助体が延びる方向に作用すると、補助体の突起の位置が係合爪との係合方向に移動し、バックル主体と補助体はお互いにその間隔を狭くする方向に働いて強く係合され、これによって、バックル主体と補助体によるバンドへの挟持力は一層強くなり、バンドが緩むことがなくなる。特に、使用状態において腹部に力を入れる等してバンドに引張方向の大きな力が作用すると、バックル主体と補助体との間の挟持力が一層強くなり、バンドの緩みの発生がより生じ難くなる。
【０００８】
また、本発明のバックルでは、前記バックル主体の一端部及び前記補助体の一端部には、前記バンドを挟持するための挟着部が設けられ、前記バックル主体の他端部には、前記補助体側に突出する突部が設けられ、前記突部は前記バンドを前記補助体の山形状に沿って屈曲させることをことを特徴とする。
【０００９】
本発明に従えば、バックル主体の他端部に突部が設けられているので、バンドはこの突部で屈曲されて屈曲状態に保持される。従って、バンドに引長力が作用すると、バンドのこの湾曲部分が抵抗となるので、作用する引長力は、ベルトの湾曲部分とバックル本体の突部でまず吸収され、このように弱められた引長力がバックルの挟着部に伝達されるようになる。かくして、バンドに引長力が作用してもバックル本体及び補助体間の挟持力は弱くならなく、この引長力は弱められてバックルの挟持部に伝達され、かくして、バンドの緩みが発生することがない。
【００１０】
また、本発明のバックルでは、前記補助体は、金属板を格子状に加工することにより形成され、前記バックル主体側に山形状に形成され、ばね性を有していることを特徴とする。
【００１１】
本発明に従えば、バックル主体が山形状に形成され、ばね性を有しているので、バンドが補助体を押付けると、補助体自体が延びるように作用する。このとき、補助体がばね性を有しているので、バンドの引長時にバンドによる補助体の伸縮移動がスムースとなり、僅かな引長力でも補助体を移動させることができ、ベルトを挟持するための所望の挟持力が保持される。
【００１２】
また、本発明のバックルでは、前記バックル主体には、飾り板が着脱自在に装着されることをことを特徴とする。
本発明に従えば、家紋などの好みの飾り板をバックル主体に着脱自在に装着することができ、時と場合によって、バンド全体を交換することなく、飾り板を取り替えて使用することができ、そのファッション性を高めることができる。
【００１３】
また、本発明のバックルでは、前記バックル主体はロ字状に形成され、その４辺部の各々に前記飾り板を装着するための装着片が設けられ、三つの前記装着片は前記バックル主体に固定され、一つの前記装着片は前記バックル主体に着脱自在に装着されることを特徴とする。
【００１４】
本発明に従えば、バックル主体の三つの辺に装着片が固定され、残りの一つの辺に装着片が着脱自在に装着されるので、一つの装着片を着脱することにより、飾り板の交換を簡単に且つ容易に行うことができる。
【００１５】
【発明の実施の形態】
以下、添付図面を参照して、本発明に従うバックルの実施形態について説明する。
第１の実施形態
まず、図１〜図６を参照して、第１の実施形態のバックルについて説明する。図１は、第１の実施形態のバックルを用いてベルトを連結した状態を示す上面図であり、図２は、図１のベルト連結状態を示す側面図であり、図３は、図１のバックルを用いてベルトを連結する直前の状態を示す側面図であり、図４は、図１のバックルを分解して示す分解斜視図であり、図５は、図２に示すベルト連結状態を拡大して断面で示す示す拡大断面図である。
【００１６】
図１〜図５において、第１の実施形態のバックル１０は、バックル主体１と、バックル主体１に対し揺動自在に装着された補助体２とから構成され、バックル主体１の一端部（図２、図３及び図５において左端部）に挟持部３が設けられ、その他端部（図２、図３及び図５において右端部）に係合爪４が設けられ、また補助体２には、バックル主体１の係合爪４と係合される突起５が設けられている。
【００１７】
図示のバックル主体１は矩形状であり、例えば金属板をロ字型に形成された主体部２１を有し、この主体部２１の一端部（図２、図３及び図５において左端部）の裏面に、Ｕ字状に形成された挟持金具３ａが溶着等により取り付けられ、この挟持金具３ａがバックル主体１の挟持部を構成し、この挟持金具３ａと補助体２とが、後述するように、バンド６を挟持するバックルの挟持部３として機能する。
【００１８】
バックル主体１の他端部には、補助体２側（バックル主体１の裏面側）に突出した突部７が設けられている。この突部７はバックル主体１のほぼ全幅（図１において上下方向、図２、図３及び図５において紙面に垂直な方向）にわたって設けられ、その断面が略半円形状であり、例えば略半円形状の棒状部材を溶着する又は金属板を略半円形状に加工して溶着することによって形成される。この突部７は、バックル主体１と補助体２との間に挿入されたバンド６をバックル主体１側に山形状に屈曲させ、このようにバンド６を屈曲させることによって、バンド６に加わる引長力がバックルの挟持部３に作用するのを緩和し、使用状態のバンド６が緩まないようにする。係合爪４は、この突部７の幅方向外側に一対設けられている。
【００１９】
補助体２は、例えば金属板を格子状にプレス加工などを施すことにより形成され、このように形成した補助体２は、幾分弾性変形可能でばね性を有する。この補助体２は、バックル主体１側に山形状に形成されている。この補助体２の一端部には取付板２ａを用いてバンド６の一端部が取り付けられている。この形態では、補助体２の一端部と取付板２ａとの間にバンド６の一端部を位置付け、取付板２ａ及びバンド６を通して例えば取付ねじ９をバックル主体１に螺着することによって、バンド６の一端部が補助板２及び取付板２ａ間に挟持固定される。補助体２の他端部には、バックル主体１の一対の係合爪４と係合する一対の突起５が設けられている。
【００２０】
この補助体２はバックル主体１に揺動自在に装着される。この形態では、補助体２の一端部及びバックル主体１の挟着部３に設けられた貫通孔３ｂを通して軸桿８が挿通され、このように軸桿８を装着することによって、バックル主体１及び補助体２は軸桿８を中心として相対的に揺動自在に装着される（図３参照）。
【００２１】
バンド６の一端部は、補助体２の一端部（基部部分）に取り付けられる。具体的には、図３及び図５で示すように、補助体２の基部と取付板２ａとの間に挿入して取付板２ａに取り付けたネジ９を補助体２の一端部にねじ込むことにより、バンド６の一端部がバックル１０に取り付けられる。
【００２２】
バンド６を使用する際には、バンド６をズボンやスカートの所定位置に装着し、バンド６を人体の腰回りに回した後、バックル主体１の係合爪４を補助体２の突起５から外すと共に、バックル主体１を軸桿８を中心に揺動してバックル主体１を開放する（図３参照）。
【００２３】
そして、バンド６の他端部をバックル１０の開放したところからバックル主体１と補助体２との間の挟持部３に挿入し、バックル１０の後方側（上記一端部側）に突出させる。その後、バックル主体１を補助体２側に揺動させて閉じ、その係合爪４を補助体２の突起５に係合させる。このように係合させると、バンド６の先端側はバックル１０の挟持部３に、即ち補助体２の基部とバックル主体１の挟持金具３ａとの間にしっかりと挟持され、ズボン等のずり落ちが防止できる。
【００２４】
この使用状態においては、図５に示すように、バンド６は山形状の補助体２に沿ってバックル主体１側に（図１において上側）に湾曲し、このように湾曲した状態でバックル１０の挟持部３に挟持される。そして、山形状に沿って延びるバンド６が常に補助体２をバックル主体１から離れる方向に（図５において下方向）に押し付けるので、補助体２は一端から他端の方向（各図において右方向）に延びる力が作用し、この力により、補助体２の突起５にも連動して右方向に移動しようとする力が働く。即ち、補助体２の突起５が右方向に移動することは、この突起５がバックル主体１の係合爪４とより強固に係合することになり、バックル主体１と補助体２は、相互に一旦係合すると外力を加えない限り外れることはない（図１及び図２参照）。
【００２５】
更に、このバックル１０では、バックル主体１の他端部に棒状突部７が設けられているので、バンド６はこの棒状突部７に案内されてバックル主体１側に急激に屈曲され且つ補助体２の山形状に沿わされ、バンド６がこのように屈曲させられることにより、バンド６に図５の矢印で示す方向の引長力が加わってもこの棒状突部７により引長力が吸収（減衰）される。従って、バックル１０の挟持部３には、作用する引長力が弱まって伝達され、バンド６の緩みが生じることはない。加えて、この棒状突部７ではバンド６を実質上挟持していない（図５参照）ので、バンド６には挟着による傷みが生じることもない。
【００２６】
バンド６を外すときは、補助体２を裏面から少し山形状に膨らませるようにして補助体２を縮めるようにすればよい。かく縮めると、補助体２の突起５の位置が係合爪４から離脱する方向に幾分移動して突起５と係合爪４との係合状態が解除され、係合爪４を突起５から外してバックル主体１を揺動させて開放状態にすることができ、この開放状態において、バンド６をバックル１０の挟持部３から抜くことによって、バンド６の他端部をバックル１０から外すことができる。
【００２７】
第２の実施形態
次に、図６及び図７を参照して、本発明に従うバックルの第２の実施形態について説明する。図６は、第２の実施形態のバックルにおけるバックル主体の一部を分解して示す分解斜視図であり、図７（ａ）及び（ｂ）は、それぞれ、図６のバックルの組み立て途中の状態を示す上面図、及び図６のバックルの組み立て後の状態を示す上面図である。尚、第２の実施形態において、第１の実施形態のバックルと実質上同一構造、実質上同一機能を有するものは同一符号を付し、その説明を省略する。
【００２８】
この第２の実施形態では、バックル主体１に飾り板１３が着脱自在に取り付けられるように構成されている。図６及び図７を参照して更に説明すると、バックル主体１はロ字状に形成された主体部２１を有し、この主体部２１の下辺１ａを除く他の３辺１ｂ、１ｃ、１ｄの上面に装着片１２が溶着などにより固着され、バックル主体１の下側から飾り板１３を装着できるように、辺１ｂの装着片１２には内側下方に開口する溝１１ｂが形成され、辺１ｃの装着片１２には内側（下方）に開口する溝１１ｃが形成され、また辺１ｄの装着片１２には内側下方に開口する溝１１ｄが形成されている。また、残りの一つの装着辺１２ａは下辺１ａに着脱自在に取り付けられる。この形態では、装着片１２ａには取付ねじ１４が螺着されており、この取付ねじ１４をバックル主体１の下辺１ａのねじ孔に螺着することによって、バックル主体１に取り付けられる。この装着片１２ａには、内側（上方）に開口する溝１１ａが形成されている。
【００２９】
一方、例えば家紋などを表した飾り板１３には、その外周部の４カ所に取付用爪１５，１５ａが設けられ、これら取付用爪１５，１５ａはバックル主体１の各装着片１２，１２ａに対応している。この形態では、飾り板１３は略楕円形に形成され、これら取付用爪１５，１５ａは飾り板１３から径方向外方に突出しており、下辺１ａの装着片１２ａに設けられた取付用爪１５ａにあっては、装着片１２ａに螺着された取付ねじ１４が挿通する切欠き２２が形成されている。尚、飾り板１３は、円形状、矩形状、菱形状、正方形状、三角形状などの適宜の形状に形成することができる。
【００３０】
この飾り板１３は、例えば、次のようにして着脱自在に取り付けられる。まず、下から上に移動させながら飾り板１３の３つの取付用爪１５を、バックル主体１の対応する三つの装着片１２（３片１ｂ，１ｃ，１ｄに設けられたもの）の溝１１ｂ，１１ｃ，１１ｄに挿入してこれら装着片１２に係止する。その後、着脱可能な残りの装着片１２ａの溝１１ａに、飾り板１３の残る取付用爪１５ａを挿入すると共に、取付ねじ１４により装着片１２ａをバックル主体１の下辺１ａに螺着する。このように取り付けると、飾り板１３の各取付用爪１５，１５ａがバックル主体１の対応する装着片１２，１２ａの溝１１ａ〜１１ｄに保持され、バックル主体１に確実に取り付けることができる。
【００３１】
この飾り板１３はバックル主体１に着脱自在に取り付けることができるので、このような飾り板１３を複数種類用意し、時と場合により交換することにより、使い勝手のよい、またファッション性の高いバックルを提供することができる。
【００３２】
この形態では、バックル主体１の下側から飾り板１３の取付用爪１５，１５ａを挿入する構成であるが、これに限定されず、飾り板１３の取付用爪を左又は右の横側から、或いは上側から挿入するようにすることができる。この場合、挿入する側の装着片がバックル主体１に着脱自在に取り付けられる。
【００３３】
以上、本発明に従うバックルの実施形態について説明したが、本発明はかかる実施形態に限定されるものではなく、本発明の範囲を逸脱することなく種々の変形乃至修正が可能である。
【００３４】
例えば、バンド６を挟持するバックル１０の挟持部３を、バンド６が一層確実に挟着できるように鋸歯状にするとか、バンド６の裏面を滑らないような粗面加工を施すようにすることも可能である。
【００３５】
また、例えば、バックル主体１をロ字状にしないで、矩形状の平板にして、その表面を革張りにしたり、種々の模様を施すようにすることも可能である。
【００３６】
【発明の効果】
本発明の請求項１のバックルによれば、補助体が山形状に形成されているので、バックル主体と補助体との間に挿入されたバンドは、山形状の補助体に沿った形状に保持され、バックル主体の係合爪と補助体の突起が係合状態に保持される。この係合状態において、補助体が延びる方向に作用すると、補助体の突起の位置が係合爪との係合方向に移動し、バックル主体と補助体はお互いにその間隔を狭くする方向に働いて強く係合され、これによって、バックル主体と補助体によるバンドへの挟持力は一層強くなり、バンドの緩みの発生をなくすことができる。
【００３７】
また、本発明の請求項２のバックルによれば、バックル主体の他端部に突部が設けられ、バンドはこの突部で屈曲されて屈曲状態に保持されるので、バンドに作用する引長力はベルトの湾曲部分とバックル本体の突部で吸収され、このように弱められた引長力がバックルの挟着部に伝達されるようになり、従って、バンドの緩みの発生をなくすことができる。
【００３８】
また、本発明の請求項３のバックルによれば、バックル主体が山形状に形成され、ばね性を有しているので、バンドの引長時にバンドによる補助体の伸縮移動がスムースとなり、僅かな引長力でも補助体を移動させることができ、ベルトを挟持するための所望の挟持力を保持することができる。
【００３９】
また、本発明の請求項４のバックルによれば、好みの飾り板をバックル主体に着脱自在に装着することができ、時と場合によって、バンド全体を交換することなく、飾り板を取り替えて使用することができ、そのファッション性を高めることができる。
【００４０】
また、本発明の請求項５のバックルによれば、バックル主体の三つの辺に装着片が固定され、残りの一つの辺に装着片が着脱自在に装着されるので、一つの装着片を着脱することにより、飾り板の交換を簡単に且つ容易に行うことができる。
【図面の簡単な説明】
【図１】本発明に従うバックルの第１の実施形態を用いてベルトを連結した状態を示す上面図である。
【図２】図１のベルト連結状態を示す側面図である。
【図３】図１のバックルを用いてベルトを連結する直前の状態を示す側面図である。
【図４】図１のバックルを分解して示す分解斜視図である。
【図５】図２に示すベルト連結状態を拡大して断面で示す示す拡大断面図である。
【図６】本発明に従うバックルの第２の実施形態におけるバックル主体の一部を分解して示す分解斜視図である。
【図７】図７（ａ）及び（ｂ）は、それぞれ、図６のバックルの組み立て途中の状態を示す上面図、及び図６のバックルの組み立て後の状態を示す上面図である。
【符号の説明】
１  バックル主体
２  補助体
３  挟持部
４  係合爪
５  突起
６  バンド
７  突部（棒状突部）
８  軸桿
１０  バックル
１２，１２ａ  装着片
１３  飾り板
１５，１５ａ  取付用爪
【図１】
2004154383.tif 000003
【図２】
2004154383.tif 000004
【図３】
2004154383.tif 000005
【図４】
2004154383.tif 000006
【図５】
2004154383.tif 000007
【図６】
2004154383.tif 000008
【図７】
2004154383.tif 000009